(57)【要約】【課題】  トレーをケースから取り出すことのできるカップホルダーを提供する。【解決手段】  コンストンスプリング４３で使用位置へ付勢されているトレー５１をケース１１内へ押し込んで収納位置へ後退させると、トレー５１を収納位置に係止手段で係止させ、収納位置のトレー５１を押し込むと、係止手段の係止状態が解除されてトレー５１がコンストンスプリング４３の付勢力で使用位置へ移動するカップホルダーＣであって、ケース１１の前面開口部側に巻き付けられたコンストンスプリング４３の一端に、コ字状のフック部４４を設け、トレー５１の後側をケース１１の前面開口部内へ押し込むことにより、フック部４４をトレー５１の後端部分に係合させ、さらに、トレー５１がコンストンスプリング４３の付勢力によって使用位置まで前進すると、ケース１１に当接する弾性変形可能な係合片７６をトレー５１の後端部分に設ける。【選択図】    図３１
2006036170.tif 000002
【特許請求の範囲】
【請求項１】
引き出しがケースから一定量引き出されると、前記ケースに当接する弾性変形可能な係合片を前記引き出しに設け、
前記係合片の弾性変形を可能にしたり、前記係合片の弾性変形を不可能にするストッパー部材を設けた、
ことを特徴とする引出装置。
【請求項２】
ケースと、このケース内に移動可能に収容されるトレーと、前記ケースに巻き付けられ、前記トレーを前記ケースから突出する方向へ付勢する巻きバネと、前記トレーを前記ケース内へ押し込んで収納位置へ後退させると、前記トレーを収納位置に係止させ、収納位置の前記トレーを押し込むと、前記トレーの係止状態を解除する係止手段とを備えたカップホルダーであって、
前記ケースの前面開口部側に巻き付けられた前記巻きバネの一端に、コ字状のフック部を設け、
前記トレーの後側を前記ケースの前面開口部内へ押し込むことにより、前記フック部が前記トレーの後端部分に係合する、
ことを特徴とするカップホルダー。
【請求項３】
請求項２に記載のカップホルダーにおいて、
前記トレーが前記巻きバネの付勢力によって使用位置まで前進すると、前記ケースに当接する弾性変形可能な係合片を前記トレーの後端部分に設けた、
ことを特徴とするカップホルダー。
【請求項４】
請求項２または請求項３に記載のカップホルダーにおいて、
前記係合片の弾性変形を可能にしたり、前記係合片の弾性変形を不可能にするストッパー部材と、
前記ストッパー部材を移動させて前記係合片の弾性変形を可能にさせる解除片とを設けた、
ことを特徴とするカップホルダー。
【請求項５】
請求項４に記載のカップホルダーにおいて、
前記トレーには起立状態で容器を保持可能なホルダーが設けられ、
このホルダーを伏倒させることにより、前記解除片を介して前記ストッパー部材を移動させて前記係合片の弾性変形を可能にさせる、
ことを特徴とするカップホルダー。
【発明の詳細な説明】
【技術分野】
【０００１】
この発明は、引き出しまたはトレーを収納位置と使用位置との間で移動可能に、ケース内に収容した引出装置およびカップホルダーに関するものである。
【背景技術】
【０００２】
従来のフルオープンタイプのカップホルダーにおいては、例えば、容器としての缶からジュースなどの飲料が零れることによってトレーが汚れたり、トレーに内容物が固着した場合、トレーをケースから取り出すことができないので、カップホルダー全体を取り替える必要があった。
そこで、缶からジュースなどの飲料が零れることによってトレーが汚れたり、トレーに内容物が固着した場合、トレーをケースから取り出すことができるようにするためには、トレーを使用位置へ付勢する付勢手段の付勢力を常にトレーに作用させないようにしたハーフオープンタイプ、または、手動式にする必要がある。
【特許文献１】特開平５−３１００７１号公報
【発明の開示】
【発明が解決しようとする課題】
【０００３】
上述したように、手動式のカップホルダーの場合、トレーを把持して引き出さなければならないため、操作性に問題がある。
そこで、操作性のよいフルオープンタイプのカップホルダーにおいてはトレーをケースから取り出すことができないが、フルオープンタイプのカップホルダーにおいても、トレーをケースから取り出すことができないかとの要望がある。
【０００４】
この発明は、上記した要望に応えるためになされたもので、引き出しまたはトレーをケースから取り出すことのできる引出装置およびカップホルダーを提供するものである。
【課題を解決するための手段】
【０００５】
この発明は、以下のような発明である。
（１）引き出しがケースから一定量引き出されると、前記ケースに当接する弾性変形可能な係合片を前記引き出しに設け、前記係合片の弾性変形を可能にしたり、前記係合片の弾性変形を不可能にするストッパー部材を設けたことを特徴とする引出装置。
（２）ケースと、このケース内に移動可能に収容されるトレーと、前記ケースに巻き付けられ、前記トレーを前記ケースから突出する方向へ付勢する巻きバネと、前記トレーを前記ケース内へ押し込んで収納位置へ後退させると、前記トレーを収納位置に係止させ、収納位置の前記トレーを押し込むと、前記トレーの係止状態を解除する係止手段とを備えたカップホルダーであって、前記ケースの前面開口部側に巻き付けられた前記巻きバネの一端に、コ字状のフック部を設け、前記トレーの後側を前記ケースの前面開口部内へ押し込むことにより、前記フック部が前記トレーの後端部分に係合することを特徴とする。
（３）（２）に記載のカップホルダーにおいて、前記トレーが前記巻きバネの付勢力によって使用位置まで前進すると、前記ケースに当接する弾性変形可能な係合片を前記トレーの後端部分に設けたことを特徴とする。
（４）（２）または（３）に記載のカップホルダーにおいて、前記係合片の弾性変形を可能にしたり、前記係合片の弾性変形を不可能にするストッパー部材と、前記ストッパー部材を移動させて前記係合片の弾性変形を可能にさせる解除片とを設けたことを特徴とする。
（５）（４）に記載のカップホルダーにおいて、前記トレーには起立状態で容器を保持可能なホルダーが設けられ、このホルダーを伏倒させることにより、前記解除片を介して前記ストッパー部材を移動させて前記係合片の弾性変形を可能にさせることを特徴とする。
【発明の効果】
【０００６】
この発明によれば、ケースの前面開口部側に巻き付けられた巻きバネの一端に、コ字状のフック部を設け、トレーの後側をケースの前面開口部内へ押し込むことにより、フック部をトレーの後端部分に係合させたので、トレーをケースの前面開口部内へ押し込むと、フック部がトレーの後端部分に係合する。
したがって、トレーを使用位置へ突出させる付勢力を与える巻きバネを、トレーをケースの前面開口部内へ押し込むという簡単が操作でトレーに作用させることができる。
そして、トレーが巻きバネの付勢力によって使用位置まで前進すると、ケースに当接する弾性変形可能な係合片をトレーの後端部分に設けたので、トレーが使用位置に位置する状態で係合片を弾性変形させてケースに係合させなくすると、トレーをケースから取り出すことができる。
さらに、係合片の弾性変形を可能にしたり、係合片の弾性変形を不可能にするストッパー部材と、ストッパー部材を移動させて係合片の弾性変形を可能にさせる解除片とを設けたので、解除片によってストッパー部材を移動させ、係合片を弾性変形を可能にさせることにより、トレーをケースから取り出すことができる。
また、トレーには起立状態で容器を保持可能なホルダーが設けられ、このホルダーを伏倒させることにより、解除片を介してストッパー部材を移動させて係合片の弾性変形を可能にさせたので、ホルダーを伏倒させることにより、トレーをケースから取り出すことができる。
【発明を実施するための最良の形態】
【０００７】
図１はこの発明の一実施例であるカップホルダーのトレーを使用位置へ前進させた状態の平面図、図２はこの発明の一実施例であるカップホルダーのトレーを使用位置へ前進させた状態の正面図、図３はこの発明の一実施例であるカップホルダーのトレーを使用位置へ前進させた状態の斜視図、図４は図１のＡ−Ａ線による要部の断面図である。
なお、以後の説明において、前、前側などとは各平面図における右側を指し、後、後側などとは各平面図における左側を指し、側面、側壁などとは各平面図における上側、下側を指すものとする。
【０００８】
これらの図において、Ｃはカップホルダーを示し、合成樹脂製のケース１１と、このケース１１に後端部分に取り付けられる合成樹脂製のスイングピン３１と、ケース１１の前端部分に取り付けられるコンストンスプリング組立体４１と、ケース１１内に移動可能に収容される合成樹脂製のトレー５１と、このトレー５１の後端部分に取り付けられるスプリング７１、合成樹脂製のストッパーアーム７２、合成樹脂製の第１ハウジング７３、図示が省略されている第２ハウジング（７４）、図示が省略されているダンパー（７７）と、トレー５１の中央部分の後側に取り付けられる合成樹脂製のプッシュアーム８１と、このプッシュアーム８１の前側に位置させてトレー５１に取り付けられるホルダー８４と、トレー５１の前端部分に取り付けられる合成樹脂製のノブ９１とで構成されている。
【０００９】
図５はケースの外観斜視図、図６はケースの平面図、図７はケースの正面図、図８はケースの裏面図、図９は図７のＡ−Ａ線による断面図、図１０は図６のＢ−Ｂ線による断面図、図１１は図６のＣ−Ｃ線による断面図、図１２は図６のＤ−Ｄ線による断面図、図１３は図６のＥ−Ｅ線による断面図である。
【００１０】
上記したケース１１の天井壁には、図９および図１３に示すように、下側に開放し、後述する係合片７６が移動可能な第１および第２の溝１２，１４が後端側から前端側へ設けられ、第１の溝１２の右端に係合片７６が前側面に当接する矩形の開口１３が設けられ、第２の溝１４の右端にも、開口１３と前後方向において同じ位置に係合片７６が前側面に当接する矩形の開口１５が設けられ、また、図９に示すように、第２の溝１４を形成する一方の内側面に、左端の少し手前から右端まで連なる、ダンパー（７７）の歯車（７８）が噛み合うラック１６が設けられ、また、図６、図８および図１０に示すように、左端近傍の中央部分にスイングピン３１を回動可能に取り付ける取付孔１７が設けられ、また、図８および図９に示すように、取付孔１７に対応させて下面に、スイングピン３１の回動を規制する回動規制リブ１８が設けられ、また、図６、図９および図１０に示すように、右端の中央部分にローラガイド１９が設けられている。
そして、ケース１１の両側壁の内側には、図６、図８および図９に示すように、前後方向へ水平に延び、トレー５１を案内するガイドリブ２０が設けられている。
また、ケース１１の底壁には、図５および図７に示すように、内側に前後方向へ水平に延び、トレー５１を案内するガイドリブ２１が設けられ、また、図５に示すように、外側に位置させてコンストンスプリング組立体４１を取り付けるための取付部２２、この取付部２２に連なり、後述するコンストンスプリング４３が通過する開口２３、この開口２３に連ならせて内側に位置し、コンストンスプリング４３が左右方向へ移動する溝２４が設けられている。
さらに、ケース１１の外側には、カップホルダーＣを所定位置に取り付けるための取付部２５，２６，２７が設けられている。
【００１１】
図１４はスイングピンの取付状態を示す説明図である。
【００１２】
上記したスイングピン３１は、ケース１１の取付孔１７に回動可能に取り付けられて回動規制リブ１８で回動範囲を規制され、後述するハートカム５２とで係止手段を構成する。
【００１３】
図１５はコンストンスプリング組立体の取付状態を示す説明図である。
【００１４】
上記したコンストンスプリング組立体４１は、ケース１１の取付部２２に回転可能に取り付けられる合成樹脂製のローラ４２と、このローラ４２に巻き付けられた巻きバネとしてのコンストンスプリング４３と、このコンストンスプリング４３の、ケース１１の開口２３から溝２４内へ延びた端に取り付けられた、前側へ開口するコ字状のフック部４４とで構成されている。
【００１５】
図１６はトレーの外観斜視図、図１７はトレーの平面図、図１８はトレーの正面図、図１９はトレーの裏面図、図２０は図１７のＡ−Ａ線による断面図、図２１は図１７のＢ−Ｂ線による断面図、図２２は図１７のＣ−Ｃ線による断面図、図２３は図１７のＤ−Ｄ線による断面図である。
【００１６】
上記したトレー５１には、図１６および図１７に示すように、後端部分の中央の上側に、係止手段を構成するハートカム５２が設けられ、このハートカム５２を挟むように後端部の両側（平面図の上下方向の両側）に上方に開放する第１および第２取付部５３，５４が設けられ、ハートカム５２と第１取付部５３との間の部分が、コンストンスプリング組立体４１のフック部４４に係合する係合部５５とされている。
そして、トレー５１には、図１６に示すように、上側に、前端近傍から第１および第２取付部５３，５４の前まで後側へ延びた凹部５６が設けられ、また、図１６および図１７に示すように、凹部５６の後端の中央部分（平面図の上下方向の中央部分）に支持部５７が設けられ、支持部５７の前側に位置させて、プッシュアーム８１を回動可能に取り付けるプッシュアーム取付部５８が設けられ、また、図１６および図２０に示すように、プッシュアーム取付部５８の前側に位置し、凹部５６を形成する側壁の対向するそれぞれの内面に、ホルダー８４を回動可能に取り付ける取付穴５９が設けられている。
また、トレー５１の前端には、図１６および１７に示すように、ノブ９１を取り付けるノブ取付部６０が設けられている。
さらに、トレー５１の側壁の外側には、図１８に示すように、ケース１１のガイドリブ２０に対応させて、後端から前端まで水平に延びる被ガイド溝６１が設けられている。
そして、トレー５１の底の外側には、図１９に示すように、ケース１１のガイドリブ２１に対応させて、後端から前端まで延びる被ガイド溝６２が設けられている。
【００１７】
図２４はトレーの第１取付部へ取り付けるスプリング、ストッパーアームおよび第１ハウジングの分解説明図、図２５はトレーの第１取付部へスプリング、ストッパーアームおよび第１ハウジングを取り付けた、係合片がロック状態の断面図である。
【００１８】
上記したトレー５１の第１取付部５３内には、収容したスプリング７１で前側へ付勢され、第１取付部５３から凹部５６へ突出しないように構成された合成樹脂製のストッパーアーム７２（ストッパー部材）を第１取付部５３から凹部５６へ跨らせて前後方向へ移動可能に配置し、第１収容部５３から上側へ飛び出ないように第１ハウジング７３でスプリング７１およびストッパーアーム７２が取り付けられている。
そして、第１ハウジング７３には、トレー５１の外側（平面図の下側）へ突出してケース１１の側壁の内面に弾接する弾性当接片７５（図２９参照）が設けられるとともに、第１の溝１２内を移動してケース１１に当接する係合片７６が一体的に設けられている。
なお、図２５に示すように、第１取付部５３へスプリング７１、ストッパーアーム７２および第１ハウジング７３を取り付けた状態では、ストッパーアーム７２の後端に設けられている上側へ突出した突出部７２ａが係合片７６の後端部分に設けられている下側へ突出した突出部７６ａと対峙するので、係合片７６が自身の弾性で前端を支点として下側へ湾曲しようとしても突出部７６ａが突出部７２ａに衝合することにより、係合片７６が湾曲できないロック状態となっている。
【００１９】
図２６はトレーの第２取付部へ取り付けるスプリング、ストッパーアームおよび第２ハウジングの分解説明図、図２７はトレーの第２取付部へスプリング、ストッパーアームおよび第２ハウジングを取り付けた、係合片がロック状態の断面図である。
【００２０】
上記したトレー５１の第２取付部５４内には、収容したスプリング７１で前側へ付勢され、第２取付部５４から凹部５６へ突出しないように構成されたストッパーアーム７２を第２取付部５４から凹部５６へ跨らせて前後方向へ移動可能に配置し、第２収容部５４から上側へ飛び出ないように第２ハウジング７４でスプリング７１およびストッパーアーム７２が取り付けられている。
そして、第２ハウジング７４には、トレー５１の（平面図の上側）外側へ突出してケース１１の側壁の内面に弾接する弾性当接片７５（図２９参照）が設けられるとともに、第２の溝１４内を移動してケース１１に当接する係合片７６が一体的に設けられている。
さらに、第２ハウジング７４には、ケース１１のラック１６に歯車７８が噛み合うダンパー７７が取り付けられている。
なお、図２７に示すように、第２取付部５４へスプリング７１、ストッパーアーム７２および第２ハウジング７４を取り付けた状態では、ストッパーアーム７２の後端に設けられている上側へ突出した突出部７２ａが係合片７６の後端部分に設けられている下側へ突出した突出部７６ａと対峙するので、係合片７６が自身の弾性で前端を支点として下側へ湾曲しようとしても突出部７６ａが突出部７２ａに衝合することにより、係合片７６が湾曲できないロック状態となっている。
【００２１】
図２８はプッシュアーム、支持状態のホルダーを示す正面図である。
【００２２】
上記したプッシュアーム８１は、トレー５１のプッシュアーム取付部５８に回動可能に取り付けられるとともに、図示を省略したトーションスプリングで支持部５７に衝合するように反時計方向へ付勢されている。
そして、プッシュアーム８１には、伏倒した場合、プッシュアーム８１をケース１１の天井下面に当接させないように、自身が当接する合成樹脂製のローラ８３が取り付けられている。
上記したホルダー８４は、トレー５１の取付穴５９に回動可能に取り付けられる合成樹脂製のサポート８５と、このサポート８５の後端側で、回動支点よりも前側に回動可能に下端が取り付けられ、トーションスプリング８７で反時計方向へ付勢されるとともに、後側をプッシュアーム８１で押される合成樹脂製の第１ガイド８６と、サポート８５の前端にピン８９で前端が回動可能に取り付けられ、トーションスプリング９０で時計方向へ付勢されるとともに、後端が第１ガイド８６の溝８６ａに沿って移動する合成樹脂製の第２ガイド８８とで構成されている。
なお、ホルダー８４は、図１に示すように、例えば、缶などの容器を上側から挿入してトレー５１上に立たせ孔を形成し、サポート８５、第１および第２ガイド８６，８８で容器を倒れないように支持する。
そして、サポート８５には、各ストッパーアーム７２を押し込む解除片８５ａが後端に設けられている。
【００２３】
図２９はトレーに各部品を取り付けた状態の斜視図、図３０はホルダーを伏倒させた状態の斜視図、図３１は第１取付部のストッパーアームが移動させられて係合片のロック状態を解除した状態の説明図、図３２は第２取付部のストッパーアームが移動させられて係合片のロック状態を解除した状態の説明図、図３３はトレーをケースへ挿入するために係合片を弾性変形させた状態の説明図、図３４はトレーを収納位置へ後退させて係止させた状態の説明図、図３５はトレーをケースから取り出すために係合片を弾性変形させた状態の説明図である。
【００２４】
次に、トレー５１のケース１１への取付について説明する。
まず、ケース１１の取付孔１７に、図１４に示すように、スイングピン３１を取り付け、ケース１１の取付部２２に、図１５に示すように、コンストンスプリング組立体４１を取り付ける。
次に、図２９に示すように、トレー５１に各部品を取り付ける。
このように、トレー５１に各部品を取り付けると、ホルダー８４はトーションスプリング８７，８９の作用により、容器を支持できるように起立し、サポート８５の後端に設けられている２つの解除片８５ａで各ストッパーアーム７２を最も押し込まない状態となる。
したがって、ストッパーアーム７２が係合片７６に対して最も前側へ移動した状態となり、図２５および図２７に示すように、突出部７２ａ，７６ａ同士が上下方向で対向した状態となる。
【００２５】
この状態でホルダー８４をトーションスプリング８７，８９の付勢力に抗して、図３０に示すように伏倒させると、図３１および図３２に示すように、伏倒したサポート８５の解除片８５ａで２つのストッパーアーム７２を各スプリング７１の付勢力に抗して最も押し込んで状態となる。
したがって、ストッパーアーム７２が係合片７６に対して最も後側へ移動した状態となり、図３１および図３２に示すように、突出部７２ａが後側へ移動し、突出部７６ａと上下方向で対向しない状態となる。
【００２６】
このようにホルダー８４を伏倒させた状態で、トレー５１の後端側、すなわち、第１および第２取付部５３，５４が設けられている側をケース１１の前面開口部内へ挿入すると、２つの係合片７６がケース１１の天井壁に衝合するが、図３１および図３２に示すように、突出部７２ａ，７６ａ同士が上下方向で対向していないので、各係合片７６の後側が、図３３に示すように、自身の弾性で前端を支点として下降してケース１１に衝合しなくなることにより、ケース１１内へトレー５１を挿入することができる。
【００２７】
このようにしてケース１１内へトレー５１を挿入すると、ケース１１のガイドリブ２０，２１が対応するトレー５１の被ガイド溝６１，６２に入り、第１および第２ハウジング７３，７４の弾性当接片７５がケース１１の各側壁内面に弾接し、ダンパー７７の歯車７８がラック１６に噛み合うとともに、トレー５１の係合部５５がコンストンスプリング組立体４１のフック部４４に係合し、コンストンスプリング４３を伸長させる。
そして、トレー５１がケース１１内へ所定長押し込まれると、図４に示すように、各係合片７６が対応する開口１３，１５と対向することにより、各係合片７６が自身の弾性で元の状態へ復帰し、開口１３，１５の前側面に係合する。
この状態でホルダ−８４を伏倒させていた押圧力を解除すると、図１〜図３に示すように、ホルダー８４がトーションスプリング８７，８９の付勢力によって起立し、各ストッパーアーム７２がスプリング７１の付勢力により、図２５および図２７に示すように、前進し、突出部７２ａが突出部７６ａと上下方向で対向して係合片７６の弾性変形を不可能とし（規制し）、トレー５１が使用位置にコンストンスプリング４３の付勢力によって維持され、トレー５１のケース１１への取付が完了する。
【００２８】
次に、動作について説明する。
まず、図１〜図３に示す使用位置へトレー５１が前進している状態で、ノブ９１を介してトレー５１を押し込むと、ローラガイド１９がローラ８３を押すことにより、プッシュアーム８１が第１ガイド８６をトーションスプリングの付勢力に抗して押すので、前述したように、ホルダー８４を凹部５６内へ伏倒させることができる。
このようにホルダー８４を凹部５６内へ伏倒させる過程で、トレー５１はガイドリブ２０，２１に係合する被ガイド溝６１，６２で案内され、弾性当接片７５でケース１１の内面に弾接し、コンストンスプリング４３を伸長させるとともに、各係合片７６は第１、第２の溝１２，１４内を移動する。
【００２９】
そして、トレー５１を収納位置の少し手前まで押し込むと、スイングピン３１がハートカム５２に係合し始める。
さらに、トレー５１を収納位置まで押し込むと、スイングピン３１がハートカム５２に係合してトレー５１を収納位置に係止可能な状態となるので、トレー５１を押し込む力を解除すると、スイングピン３１がハートカム５２に係合してトレー５１を、図３４に示すように、収納位置に係止させる。
【００３０】
この図３４に示すトレー５１の収納状態において、トレー５１を押し込んでスイングピン３１のハートカム５２に対する係合を解除させると、トレー５１は、コンストンスプリング４３がローラ４２に巻き込まれる付勢力により、各係合片７６が開口１３，１５の前側面に当接（衝合）する、図１〜図３に示す使用位置まで前進して停止するとともに、ラック１６に歯車７８が噛み合っているダンパー７７によって移動を制動される。
【００３１】
次に、トレー５１のケース１１からの取り出しについて説明する。
まず、図１〜図３に示す使用位置にトレー５１が位置する状態で、ホルダー８４をトーションスプリング８７，８９の付勢力に抗して、図３０に示すように伏倒させると、図３１および図３２に示すように、伏倒したサポート８５の解除片８５ａで２つのストッパーアーム７２を各スプリング７１の付勢力に抗して最も押し込んで状態となる。
したがって、ストッパーアーム７２が係合片７６に対して最も後側へ移動した状態となり、図３１および図３２に示すように、突出部７２ａが後側へ移動し、突出部７６ａと上下方向で対向しない状態となる。
【００３２】
このようにホルダー８４を伏倒させた状態で、ケース１１に対してトレー５１を引く抜こうとすると、図３１および図３２に示すように、突出部７２ａ，７６ａ同士が上下方向で対向していないので、各係合片７６の後側が、図３５に示すように、自身の弾性で前端を支点として下降してケース１１と係合しなくなることにより、トレー５１をケース１１から取り出すことができる。
【００３３】
上述したように、この発明の一実施例によれば、ケース１１の前面開口部側に巻き付けられたコンストンスプリング４３の一端に、コ字状のフック部４４を設け、トレ５１ーの後側をケース１１の前面開口部内へ押し込むことにより、フック部４４をトレー５１の後端部分に係合させたので、トレー５１をケース１１の前面開口部内へ押し込むと、フック部４４がトレー５１の後端部分に係合する。
したがって、トレー５１を使用位置へ突出させる付勢力を与えるコンストンスプリング４３を、トレー５１をケース１１の前面開口部内へ押し込むという簡単が操作でトレー５１に作用させることができる。
そして、トレー５１がコンストンスプリング４３の付勢力によって使用位置まで前進すると、ケース１１に当接する弾性変形可能な係合片７６をトレー５１の後端部分に設けたので、トレー５１が使用位置に位置する状態で係合片７６を弾性変形させてケース１１に係合させなくすると、トレー５１をケース１１から取り出すことができる。
さらに、係合片７６の弾性変形を可能にしたり、係合片７６の弾性変形を不可能にするストッパーアーム７２と、ストッパーアーム７２を移動させて係合片７６の弾性変形を可能にさせる解除片８５ａとを設けたので、解除片８５ａによってストッパーアーム７２を移動させ、係合片７６を弾性変形を可能にさせることにより、トレー５１をケース１１から取り出すことができる。
また、トレー５１には起立状態で容器を保持可能なホルダー８４が設けられ、このホルダー８４を伏倒させることにより、解除片８５ａを介してストッパーアーム７２を移動させて係合片７６の弾性変形を可能にさせたので、ホルダー８４を伏倒させることにより、トレー５１をケース１１から取り出すことができる。
そして、弾性当接片７５をケース１１の側壁の内面へ弾接させたので、トレー５１をケース１１に対して、各弾性当接片７５がケース１１の側壁の内面へ当接する方向、すなわち、水平方向へがたつかないように収容させることができる。
さらに、ダンパー７７を設けたので、ケース１１からトレー５１が急激に突出しないようにトレー５１の移動を制動することができる。
【００３４】
上記した実施例では、係合片７６の弾性変形を可能したり、係合片７６の弾性変形を不可能にするようにストッパーアーム７２を移動させるのを、ホルダー８４の起立と伏倒とで行う例を示したが、単にストッパー部材を移動させることにより、係合片７６の弾性変形を可能または不可能にさせたり、ストッパー部材を前後動させることにより、このストッパー部材と直交する水平方向へ解除部材を移動させて係合片７６を弾性変形させたり、元の状態へ復帰させる構成にしてもよい。
そして、上記した実施例をカップホルダーＣとした例で説明したが、引き出しがケースから一定量、例えば、付勢部材の付勢力によって引き出されると、ケースに当接する弾性変形可能な係合片を引き出しに設け、係合片の弾性変形を可能にしたり、係合片の弾性変形を不可能にするストッパー部材を設けた引出装置とすることにより、引出装置においても引き出しをケースから取り出すことができる。
【図面の簡単な説明】
【００３５】
【図１】この発明の一実施例であるカップホルダーのトレーを使用位置へ前進させた状態の平面図である。
【図２】この発明の一実施例であるカップホルダーのトレーを使用位置へ前進させた状態の正面図である。
【図３】この発明の一実施例であるカップホルダーのトレーを使用位置へ前進させた状態の斜視図である。
【図４】図１のＡ−Ａ線による要部の断面図である。
【図５】ケースの外観斜視図である。
【図６】ケースの平面図である。
【図７】ケースの正面図である。
【図８】ケースの裏面図である。
【図９】図７のＡ−Ａ線による断面図である。
【図１０】図６のＢ−Ｂ線による断面図である。
【図１１】図６のＣ−Ｃ線による断面図である。
【図１２】図６のＤ−Ｄ線による断面図である。
【図１３】図６のＥ−Ｅ線による断面図である。
【図１４】スイングピンの取付状態を示す説明図である。
【図１５】コンストンスプリング組立体の取付状態を示す説明図である。
【図１６】トレーの外観斜視図である。
【図１７】トレーの平面図である。
【図１８】トレーの正面図である。
【図１９】トレーの裏面図である。
【図２０】図１７のＡ−Ａ線による断面図である。
【図２１】図１７のＢ−Ｂ線による断面図である。
【図２２】図１７のＣ−Ｃ線による断面図である。
【図２３】図１７のＤ−Ｄ線による断面図である。
【図２４】トレーの第１取付部へ取り付けるスプリング、ストッパーアームおよび第１ハウジングの分解説明図である。
【図２５】トレーの第１取付部へスプリング、ストッパーアームおよび第１ハウジングを取り付けた、係合片がロック状態の断面図である。
【図２６】トレーの第２取付部へ取り付けるスプリング、ストッパーアームおよび第２ハウジングの分解説明図である。
【図２７】トレーの第２取付部へスプリング、ストッパーアームおよび第２ハウジングを取り付けた、係合片がロック状態の断面図である。
【図２８】プッシュアーム、支持状態のホルダーを示す正面図である。
【図２９】トレーに各部品を取り付けた状態の斜視図である。
【図３０】ホルダーを伏倒させた状態の斜視図である。
【図３１】第１取付部のストッパーアームが移動させられて係合片のロック状態を解除した状態の説明図である。
【図３２】第２取付部のストッパーアームが移動させられて係合片のロック状態を解除した状態の説明図である。
【図３３】トレーをケースへ挿入するために係合片を弾性変形させた状態の説明図である。
【図３４】トレーを収納位置へに後退させて係止させた状態の説明図である。
【図３５】トレーをケースから取り出すために係合片を弾性変形させた状態の説明図である。
【符号の説明】
【００３６】
Ｃ      カップホルダー
１１    ケース
１２    第１の溝
１３    開口
１４    第２の溝
１５    開口
１６    ラック
１７    取付孔
１８    回動規制リブ
１９    ローラガイド
２０    ガイドリブ
２１    ガイドリブ
２２    取付部
２３    開口
２４    溝
２５    取付部
２６    取付部
２７    取付部
３１    スイングピン（係止手段）
４１    コンストンスプリング組立体
４２    ローラ
４３    コンストンスプリング（巻きバネ）
４４    フック部
５１    トレー
５２    ハートカム（係止手段）
５３    第１取付部
５４    第２取付部
５５    係合部
５６    凹部
５７    支持部
５８    プッシュアーム取付部
５９    取付穴
６０    ノブ取付部
６１    被ガイド溝
６２    被ガイド溝
７１    スプリング
７２    ストッパーアーム（ストッパー部材）
７２ａ  突出部
７３    第１ハウジング
７４    第２ハウジング
７５    弾性当接片
７６    係合片
７６ａ  突出部
７７    ダンパー
７８    歯車
８１    プッシュアーム
８３    ローラ
８４    ホルダー
８５    サポート
８５ａ  解除片
８６    第１ガイド
８６ａ  溝
８７    トーションスプリング
８８    第２ガイド
８９    ピン
９０    トーションスプリング
９１    ノブ
【図１】
2006036170.tif 000003
【図２】
2006036170.tif 000004
【図３】
2006036170.tif 000005
【図４】
2006036170.tif 000006
【図５】
2006036170.tif 000007
【図６】
2006036170.tif 000008
【図７】
2006036170.tif 000009
【図８】
2006036170.tif 000010
【図９】
2006036170.tif 000011
【図１０】
2006036170.tif 000012
【図１１】
2006036170.tif 000013
【図１２】
2006036170.tif 000014
【図１３】
2006036170.tif 000015
【図１４】
2006036170.tif 000016
【図１５】
2006036170.tif 000017
【図１６】
2006036170.tif 000018
【図１７】
2006036170.tif 000019
【図１８】
2006036170.tif 000020
【図１９】
2006036170.tif 000021
【図２０】
2006036170.tif 000022
【図２１】
2006036170.tif 000023
【図２２】
2006036170.tif 000024
【図２３】
2006036170.tif 000025
【図２４】
2006036170.tif 000026
【図２５】
2006036170.tif 000027
【図２６】
2006036170.tif 000028
【図２７】
2006036170.tif 000029
【図２８】
2006036170.tif 000030
【図２９】
2006036170.tif 000031
【図３０】
2006036170.tif 000032
【図３１】
2006036170.tif 000033
【図３２】
2006036170.tif 000034
【図３３】
2006036170.tif 000035
【図３４】
2006036170.tif 000036
【図３５】
2006036170.tif 000037